(57)【要約】      （修正有）【課題】ばね指の保存療法具として、日常生活への影響が全くなく、治療中も通常の指動作が可能な、指関節の指輪型柔軟固定具を提供する。【解決手段】アルミニウムなどの軟質金属材料からなる線材を複数回左巻又は右巻きのスパイラル巻にして、スパイラルのピッチの変更、及びスパイラル径の縮小・拡大を可能とした、指関節の指輪型柔軟固定具とする。【選択図】図１
0003206561.tif 000002
【実用新案登録請求の範囲】
【請求項１】
柔軟金属材料からなる線材を複数回左巻又は右巻きのスパイラル巻して、該スパイラルのピッチの変更、及び該スパイラル径の縮小・拡大を可能としたことを特徴とする指関節の指輪型柔軟固定具。
【請求項２】
前記柔軟金属が、純度９７％以上のアルミニウムであることを特徴とする請求項１に記載の指関節の指輪型柔軟固定具。
【請求項３】
前記柔軟金属材料が、被覆チューブで絶縁されていることを特徴とする請求項１又は２に記載の指関節の指輪型柔軟固定具。
【請求項４】
前記線材の線径が０．５〜２．５ｍｍであり、線材のスパイラル巻の回数が、３〜４であることを特徴とする請求項１〜３のいずれか１項に記載の指関節の指輪型柔軟固定具。
【考案の詳細な説明】
【技術分野】
【０００１】
本考案は、ばね指の保存療法具として有効な指関節の指輪型柔軟固定具に関する。
【背景技術】
【０００２】
指の付け根で屈筋腱と靱帯性腱鞘の間で炎症が起こると、“腱鞘炎”になり腱鞘の部分で腱の動きがスムーズでなくなり、指の付け根に痛み、腫れ、熱感が生じる。“ばね指”とは、この腱鞘炎がさらに進行してばね現象が生じるものであり、さらに悪化すると指が動かない状態になる。
【０００３】
従来、ばね指の治療には、手術の他に、保存療法という、ばね症状がでる指関節を固定する療法がある。通常は、（１）副木と包帯で固定する、（２）樹脂材を固定する指に合わせて形成して固定する、（３）対象の指関節専用のサポータで指関節を固定する、等の方法があるが、いずれの方法も、日常の指動作をほぼ固定してしまうため、痛々しい姿となるばかりでなく、日常生活に支障をきたす。
【０００４】
一方、特許文献１には、純度９９．９％以上のアルミニウムからなる線材が複数回スパイラル巻にされてなる、指輪、腕輪等の身体装着具が記載されており、該身体装着具は、アルミニウムを素材として熱の放射性能が高くなるため、単なる装飾品としてではなく、健康保持具としても利用できると記載されている。
【先行技術文献】
【特許文献】
【０００５】
【特許文献１】特開２０００−１０６９２１号公報
【考案の概要】
【考案が解決しようとする課題】
【０００６】
しかしながら、上記の特許文献では、肩こり、腰痛、手足のしびれ等に有効であるとしているものの、ばね指の保存療法具については何ら開示されていない。
また、該特許文献に記載の身体装着具は、図４に示すとおり、アルミニウムからなる線材１の両端部１１、１２をスパイラル巻に入り込ませ、該両端部の間で軸方向に捻られており、この捻部２の形成により、スパイラル巻の軸方向へ緩みを阻止してスパイラ巻を保形して装着中の変形、脱落を防止するものであるために、固定サイズであり、何処にでも、誰にでも使えるものではない。
【０００７】
本考案は、従来のばね指の保存療法具における上記課題を解決して、日常生活への影響が全くなく、治療中も通常の指動作が可能な、ばね指の保存療法具を提供することを目的とする。また、手足指の何処にでも装着可能な、ばね指の保存療法具を提供することをもう一つの目的とする。
【課題を解決するための手段】
【０００８】
本考案者は、上記課題を解決すべく検討した結果、金属材料からなる線材を複数回左巻又は右巻きのスパイラル巻にするとともに、該スパイラルのピッチの変更、及び該スパイラル径の縮小・拡大を可能にして、指関節の指輪型柔軟固定具とすることにより、上記目的を達成しうるという知見を得た。
【０００９】
本考案は、こうした知見に基づくものであって、以下の考案が提供される。
［１］柔軟金属材料からなる線材を複数回左巻又は右巻きのスパイラル巻にして、該スパイラルのピッチの変更、及び該スパイラル径の縮小・拡大を可能としたことを特徴とする指関節の指輪型柔軟固定具。
［２］前記柔軟金属が、純度９７％以上のアルミニウムであることを特徴とする［１］に記載の指関節の指輪型柔軟固定具。
［３］前記柔軟金属材料が、被覆チューブで絶縁されていることを特徴とする［１］又は［２］に記載の指関節の指輪型柔軟固定具。
［４］前記線材の線径が０．５〜２．５ｍｍであり、線材のスパイラル巻の回数が、３〜４であることを特徴とする［１］〜［３］のいずれかに記載の指関節の指輪型柔軟固定具。
【考案の効果】
【００１０】
本考案に係るばね指の指輪型柔軟固定具は、指関節を完全に固定するのではなく、関節動作範囲を約９０％に制限することで、指を動かした時に発症するばね指動作を、発症直前で食い止める働きをするものであり、ばね指保存療法具として用いた場合、日常生活への影響は全く支障がなく、治療中も通常の指動作が可能になる。また、本考案によれば、手足指の何処にでも装着できるフリーサイズの指輪型柔軟固定具であるために、通常の、指の付け根に装着する指輪のように用いることができる。また、純度９７％以上のアルミニウムをスパイラル線材に用いることにより熱の放散性能を高めることができ、さらに、スパイラル線材の成形前に線材を熱収縮性のチューブで被覆することにより、絶縁性を高め、金属の接触による肌への影響を減らすことができる。
【図面の簡単な説明】
【００１１】
【図１】本考案に係る指関節の指輪型柔軟固定具の１実施形態を示す斜視図。
【図２】本考案に係る指関節の指輪型柔軟固定具の、１つの使用形態を示す斜視図。
【図３】本考案に係る指関節の指輪型柔軟固定具の、他の使用形態を示す斜視図。
【図４】従来の指輪型身体装身具を示す正面図。
【考案を実施するための形態】
【００１２】
図１は、本考案に係る指関節の指輪型柔軟固定具の１実施形態を示す斜視図である。
図１に示すように、本考案の指輪型柔軟固定具は、柔軟金属材料からなる線材を、スパイラル構造に丸めて成型したものである。
【００１３】
図に示すように、本考案の、柔軟金属材料からなる線材を複数回左巻又は右巻きのスパイラル巻にした、指関節の指輪型柔軟固定具は、スパイラルのピッチの変更、及び該スパイラル径の縮小・拡大を可能としたことを特徴とするものであり、そのため、手足指の何処にでも装着できるフリーサイズであり、通常の使い方は、装身具用の指輪のように指の付け根に装着できる。
また、本考案に係る指関節の指輪型柔軟固定具は、スパイラルのピッチの変更、及び該スパイラル径の縮小・拡大が可能であるために、スパイラルのピッチを拡げるか狭めること、及び／又はスパイラルの径を緩めるか絞ることで、通常の指輪とは異なる特殊な方法で装着することにより、ばね指の保存療法用の固定具として使用することができる。
【００１４】
図２は、本考案に係る指関節の指輪型柔軟固定具の、１つの使用形態を示す斜視図であり、図３は、他の使用形態を示す斜視図である。
本考案に係る指関節の指輪型柔軟固定具の使用形態は、これらの図に記載されたものに限られないが、例えば、図２に示すように、症状のでる指の関節（通常は第２関節）に装着するか、あるいは、図３に示すように、症状のでる指の関節付近に装着する等、いずれの装着方法によってもばね症状の発症を止めることが可能である。
【００１５】
前述のように、本考案に係る指関節の指輪型柔軟固定具は、関節を完全に固定するのではなく、関節動作範囲を約９０％に制限することで、指を動かした時に発症するばね動作を、発症直前で食い止める働きをする。
【００１６】
本考案に用いる柔軟金属材料は、成型したパイラル構造における、スパイラルのピッチの変更、及びスパイラル径の縮小・拡大が可能であるものであれば、限定されるものでなく、何でも用いることができるが、特に、純度が９７％以上のアルミニウムは、熱の放射性能を高めることが期待できることから好ましい。
一方、フリーサイズ指輪として関節に密接させる際、金、プラチナ、銀、ステンレス、チタン、なまし鉄、銅、真鍮などは、硬すぎて装着に向かない。
【００１７】
また、本考案に用いる柔軟金属材料は、丸めて成型する前に、熱収縮チューブなどの被覆チューブで絶縁することが好ましい。これにより、絶縁性を高め、金属の接触による肌への影響を減らすことができる。
【００１８】
前記線材の線径は、０．５〜２．５ｍｍであり、線材のスパイラル巻の回数が、３〜４であることが好ましい。線材の太さがこれより細いと変形強度が不足し、また、これより太いと装着時に邪魔になり、指に絞って固定する際の操作がし難くなる。
【００１９】
図１に示す例では、太さが１．５〜１．６ｍｍｍで、長さが約２３ｃｍのアルムニウム線材に、熱収縮チューブ（収縮時の厚み：０．１〜０．２ｍｍ）を用いて、絶縁被覆した後、約３．５巻（左巻）のスパイラル構造に丸めて成型したものである。
したがって、該図に示す例の線材の太さは、１．７〜２．０ｍｍである。
図１の例では、丸線材を用いているが、角線材でも可能である。
【符号の説明】
【００２０】
１：線材
２：捻部
１１、１２：線材の端部
【図１】
0003206561.tif 000003
【図２】
0003206561.tif 000004
【図３】
0003206561.tif 000005
【図４】
0003206561.tif 000006